(57)【要約】【課題】筐体の側板が側方に湾曲することを抑えることができる給湯器を提供すること。【解決手段】給湯器１は、熱交換器５を収容している筐体２と、筐体２の内部に配置されて、熱交換器５から発生する熱を遮蔽するとともに、筐体２の側板１０，１１が側方に湾曲することを抑制する遮熱板３１，３２と、を備える。【選択図】図１
2019148357.tif 000002
【特許請求の範囲】
【請求項１】
熱交換器を収容している筐体と、
前記筐体の内部に配置されて、前記熱交換器から発生する熱を遮蔽するとともに、前記筐体の側板が側方に湾曲することを抑制する遮熱板と、
を備えたことを特徴とする給湯器。
【請求項２】
前記側板は、一方の側板と、前記一方の側板に対向する他方の側板と、を有し、
前記遮熱板は、前記一方の側板の内側に固定された第１遮熱板と、前記他方の側板の内側に固定された第２遮熱板と、有することを特徴とする請求項１に記載の給湯器。
【請求項３】
前記第１遮熱板の形状は、前記第２遮熱板の形状と同一であることを特徴とする請求項２に記載の給湯器。
【請求項４】
前記第１遮熱板および前記第２遮熱板のそれぞれは、一方の端部に設けられた第１突出部分と、前記一方の端部に対向する他方の端部に設けられた第２突出部分と、前記一方の端部および前記他方の端部に交差する端部において前記第１突出部分と前記第２突出部分との間の位置に設けられた取付部と、を有し、
前記第１遮熱板の前記取付部は、前記一方の側板に固定され、
前記第２遮熱板の前記取付部は、前記他方の側板に固定され、
前記第１遮熱板の前記第１突出部分および前記第２突出部分は、前記一方の側板が側方に湾曲しようとすると前記一方の側板の内面に当接し、
前記第２遮熱板の前記第１突出部分および前記第２突出部分は、前記他方の側板が側方に湾曲しようとすると前記他方の側板の内面に当接することを特徴とする請求項２または３に記載の給湯器。
【請求項５】
前記取付部は、板が折り曲げられた爪状の構造を有し、
前記第１遮熱板の前記取付部は、前記一方の側板の前端部に設けられたスリット部に嵌め込まれ、
前記第２遮熱板の前記取付部は、前記他方の側板の前端部に設けられたスリット部に嵌め込まれたことを特徴とする請求項５に記載の給湯器。
【請求項６】
前記第１遮熱板の後端部の少なくとも一部は、前記一方の側板に対して締結部材により締結され、
前記第２遮熱板の後端部の少なくとも一部は、前記他方の側板に対して締結部材により締結されていることを特徴とする請求項２〜５のいずれか１項に記載の給湯器。
【請求項７】
前記筐体は、後方部において前記側板と交差する方向に延び前記側板に接続された背板を有し、
前記第１遮熱板の後端部の他の少なくとも一部は、前記一方の側板と前記背板との間に挟まれて保持され、
前記第２遮熱板の後端部の他の少なくとも一部は、前記他方の側板と前記背板との間に挟まれて保持されていることを特徴とする請求項２〜６のいずれか１項に記載の給湯器。
【発明の詳細な説明】
【技術分野】
【０００１】
本発明は、マンション等の集合住宅のパイプシャフト等に設置される給湯器に関する。
【背景技術】
【０００２】
特許文献１には、熱交換器を固定する胴板部の前面および後面に固着された前板および後板を備えた瞬間湯沸器が開示されている。特許文献１に記載された瞬間湯沸器では、異常温度検出手段が前板および後板のそれぞれに取り付けられている。これにより、特許文献１に記載された瞬間湯沸器は、省スペース化が進む日本の住宅事情においても、壁面に近接して設置することが可能とされている。
【０００３】
特許文献２には、長尺ヒューズ部材を備えた燃焼機器が開示されている。特許文献２に記載された長尺ヒューズ部材は、絶縁基材と絶縁薄板材との間に任意の形状をもって各部均等に配置され、絶縁基材に絶縁薄板材でパック状に把持され一体的に固定されている。これにより、不特定局部位置における過熱検知が確実に行われる。そのため、特許文献１に記載された瞬間湯沸器と同様に、特許文献２に記載された燃焼機器は、省スペース化が進む日本の住宅事情においても、壁面に近接して設置することが可能とされている。
【０００４】
例えば特許文献１および特許文献２に開示されたような給湯器は、マンション等の集合住宅の各戸に対応して配置されることがある。この場合において、給湯器の配置形態としては、１台の給湯器が、１つの住戸のパイプシャフト（パイプスペースともいう）において配置される場合と、２台の給湯器が、隣接する２つの住戸の共用のパイプシャフトにおいて並べて配置される場合と、がある。
【０００５】
１台の給湯器が１つの住戸のパイプシャフトにおいて配置される場合には、パイプシャフトにおける給湯器の収容空間が十分に確保されている。そのため、給湯器の横幅寸法は、相対的に大きい値に設定されている。
【０００６】
これに対して、２台の給湯器が、隣接する２つの住戸の共用のパイプシャフトにおいて並べて配置される場合には、１台の給湯器が１つの住戸のパイプシャフトにおいて配置される場合と比較して、パイプシャフトにおける給湯器の収容空間が狭い。このため、２台の給湯器のそれぞれの横幅寸法は、相対的に小さい値（例えば約半分程度の値）に設定されている。
【０００７】
一般的に、給湯器は、熱交換器やガスバーナ等を収容する箱型の筐体と、フロントカバーと、を有している。フロントカバーは、筐体の前面の開口部を覆っている。筐体の側板の前端部は、筐体の強度を確保するために折り返し部分を有している。フロントカバーは、筐体の折り返し部分に重ねられ、筐体に取り付けられている。また他方、上記同一構造の給湯器は、戸建て住宅の壁面等に直付けされる場合もあり、マンション等のパイプシャフト用の金具を戸建て住宅用の金具に取り換えて取付される。
【先行技術文献】
【特許文献】
【０００８】
【特許文献１】実公平３−３８００号公報
【特許文献２】実公平８７２３６号方向
【発明の概要】
【発明が解決しようとする課題】
【０００９】
ここで、隣接する２つの住戸の共用のパイプシャフトにおいて並べて配置される給湯器の横幅寸法を小さくするために、筐体の折り返し部分の形成幅をできる限り狭くして、筐体の内容積を大きく確保することが行われている。しかし、側板の折り返し部分の形成幅ができる限り狭い幅に設定されているので、筐体の側板が大きな強度を確保できないという点において改善の余地がある。
【００１０】
すなわち、熱交換器や送風機や回路基板や電気配線の束線やパイプ類等の収容物が、このような構造の筐体内にぎっしりと収容されている。そのため、筐体の側板の強度が比較的低いと、側板が収容物により押されて側方に湾曲するおそれがある。これに対して、フロントカバーが筐体に取り付けられることで、側板の変形（湾曲）が矯正されることがある。
【００１１】
しかし、作業者が給湯器を設置現場のパイプシャフトに設置する際に、筐体からフロントカバーを取り外すと、筐体の側板が側方に再び湾曲する。そして、作業者がフロントカバーを筐体に再び取り付ける際に、側板の変形（湾曲）を矯正することが困難である場合がある。そのため、隣接する２つの住戸の共用のパイプシャフトにおいて並べて配置される給湯器であっても、筐体の側板が湾曲することを抑えることが望まれている。
【００１２】
本発明は、前記課題を解決するためになされたものであり、筐体の側板が側方に湾曲することを抑えることができる給湯器を提供することを目的とする。
【課題を解決するための手段】
【００１３】
前記課題は、本発明によれば、熱交換器を収容している筐体と、前記筐体の内部に配置されて、前記熱交換器から発生する熱を遮蔽するとともに、前記筐体の側板が側方に湾曲することを抑制する遮熱板と、を備えたことを特徴とする給湯器により解決される。
【００１４】
前記構成によれば、給湯器は、熱交換器を収容している筐体と、遮熱板と、を備える。遮熱板は、筐体の内部に配置されて、熱交換器から発生する熱を遮蔽するとともに、筐体の側板が側方に湾曲することを抑制する。このため、側板の折り返し部分の形成幅ができる限り狭い幅に設定され、筐体の側板が大きな強度を確保できない場合において、作業者が給湯器を設置現場のパイプシャフトに設置する際に、例えば筐体からフロントカバーを取り外しても、遮熱板は、筐体の側板が側方に湾曲することを抑えることができる。また、遮熱板は、側板の折り返し部分が筐体の外側に向かって跳ね上がることを抑えることができる。筐体の側板が側方に湾曲することが抑制されるので、作業者は、フロントカバーを筐体に取り付け易く、例えば複数台の給湯器をパイプシャフト内に並べて確実に設置することができる。
【００１５】
好ましくは、前記側板は、一方の側板と、前記一方の側板に対向する他方の側板と、を有し、前記遮熱板は、前記一方の側板の内側に固定された第１遮熱板と、前記他方の側板の内側に固定された第２遮熱板と、有することを特徴とする。
【００１６】
前記構成によれば、第１遮熱板が筐体の一方の側板の内側に固定され、第２遮熱板が筐体の他方の側板の内側に固定されている。つまり、互いに対向する側板は、それぞれの内側に固定された遮熱板（第１遮熱板および第２遮熱板）により側方への湾曲を抑制される。これにより、第１遮熱板および第２遮熱板は、筐体内の遮熱を行うとともに、薄板を用いて軽量化された筐体であっても、筐体の補強を確実に行うことができる。
【００１７】
好ましくは、前記第１遮熱板の形状は、前記第２遮熱板の形状と同一であることを特徴とする。
【００１８】
前記構成によれば、遮熱板は、一方の側板と他方の側板の両方に共用して使用可能とされる。これにより、給湯器の構成部品の種類を減らすことができる。
【００１９】
好ましくは、前記第１遮熱板および前記第２遮熱板のそれぞれは、一方の端部に設けられた第１突出部分と、前記一方の端部に対向する他方の端部に設けられた第２突出部分と、前記一方の端部および前記他方の端部に交差する端部において前記第１突出部分と前記第２突出部分との間の位置に設けられた取付部と、を有し、前記第１遮熱板の前記取付部は、前記一方の側板に固定され、前記第２遮熱板の前記取付部は、前記他方の側板に固定され、前記第１遮熱板の前記第１突出部分および前記第２突出部分は、前記一方の側板が側方に湾曲しようとすると前記一方の側板の内面に当接し、前記第２遮熱板の前記第１突出部分および前記第２突出部分は、前記他方の側板が側方に湾曲しようとすると前記他方の側板の内面に当接することを特徴とする。
【００２０】
前記構成によれば、第１遮熱板の第１突出部分および第２突出部分は、筐体の一方の側板が側方に湾曲しようとすると一方の側板の内面に当接する。また、第２遮熱板の第１突出部分および第２突出部分は、他方の側板が側方に湾曲しようとすると他方の側板の内面に当接する。このため、作業者が例えば筐体からフロントカバーを取り外しても、筐体の側板が側方に湾曲することが確実に抑えられる。
【００２１】
好ましくは、前記取付部は、板が折り曲げられた爪状の構造を有し、前記第１遮熱板の前記取付部は、前記一方の側板の前端部に設けられたスリット部に嵌め込まれ、前記第２遮熱板の前記取付部は、前記他方の側板の前端部に設けられたスリット部に嵌め込まれたことを特徴とする。
【００２２】
前記構成によれば、第１遮熱板の爪状の取付部が一方の側板のスリット部に嵌め込まれている。これにより、第１遮熱板は、一方の側板のスリット部に対して容易に取り付けられるとともに一方の側板に確実に固定される。また、第２遮熱板の爪状の取付部が他方の側板のスリット部に嵌め込まれている。これにより、第２遮熱板は、他方の側板のスリット部に対して容易に取り付けられるとともに他方の側板に確実に固定される。
【００２３】
好ましくは、前記第１遮熱板の後端部の少なくとも一部は、前記一方の側板に対して締結部材により締結され、前記第２遮熱板の後端部の少なくとも一部は、前記他方の側板に対して締結部材により締結されていることを特徴とする。
【００２４】
前記構成によれば、第１遮熱板の後端部の少なくとも一部は、一方の側板に対して、締結部材により簡単かつ確実に固定される。また、第２遮熱板の後端部の少なくとも一部は、他方の側板に対して、締結部材により簡単かつ確実に固定される。
【００２５】
好ましくは、前記筐体は、後方部において前記側板と交差する方向に延び前記側板に接続された背板を有し、前記第１遮熱板の後端部の他の少なくとも一部は、前記一方の側板と前記背板との間に挟まれて保持され、前記第２遮熱板の後端部の他の少なくとも一部は、前記他方の側板と前記背板との間に挟まれて保持されていることを特徴とする。
【００２６】
前記構成によれば、第１遮熱板の後端部の他の少なくとも一部は、一方の側板に対して、一方の側板と前記背板との間に挟まれて保持され、一方の側板に対して容易に固定される。また、第２遮熱板の後端部の他の少なくとも一部は、他方の側板に対して、他方の側板と前記背板との間に挟まれて保持され、他方の側板に対して容易に固定される。
【発明の効果】
【００２７】
本発明によれば、筐体の側板が側方に湾曲することを抑えることができる給湯器を提供することができる。
【図面の簡単な説明】
【００２８】
【図１】本発明の実施形態に係る給湯器を示す正面図である。
【図２】図１に示す矢印Ｔ１１の方向から眺めたときの給湯器を示す側面図である。
【図３】図１に示す給湯器１を示す斜視図である。
【図４】集合住宅に設置される給湯器の設置例を示す図である。
【図５】筐体の変形を説明する図である。
【図６】第１遮熱板および第２遮熱板を示す正面図である。
【図７】第１遮熱板および第２遮熱板を示す斜視図である。
【図８】第１遮熱板および第２遮熱板を示す側面図である。
【図９】第１遮熱板および第２遮熱板を示す断面図である。
【図１０】遮熱板を示す図である。
【図１１】図１に示す切断面Ａ−Ａにおける断面図である。
【図１２】図１に示す切断面Ｂ−Ｂにおける断面図である。
【図１３】本実施形態の第１遮熱板および第２遮熱板の作用例を説明する模式図である。
【発明を実施するための形態】
【００２９】
以下に、本発明の好ましい実施形態を、図面を参照して詳しく説明する。
なお、以下に説明する実施形態は、本発明の好適な具体例であるから、技術的に好ましい種々の限定が付されているが、本発明の範囲は、以下の説明において特に本発明を限定する旨の記載がない限り、これらの態様に限られるものではない。また、各図面中、同様の構成要素には同一の符号を付して詳細な説明は適宜省略する。
【００３０】
図１は、本発明の実施形態に係る給湯器を示す正面図である。
図２は、図１に示す矢印Ｔ１１の方向から眺めたときの給湯器を示す側面図である。
図３は、図１に示す給湯器１を示す斜視図である。
図１と図３に示す給湯器１では、フロントカバー３の図示を省略しており、筐体２を示している。図２では、筐体２の前面の開口部１５に対応して、フロントカバー３が取り付けられている。図３に示す給湯器１の形状は、図１と図２に示す給湯器１を分かり易くするために、簡略化して示している。図１および図３では、第１突出部分４１および第２突出部分４２を分かりやすく表示するため、遮熱板３１，３２の端部を省略している。
【００３１】
本実施形態に係る給湯器１は、筐体２と、フロントカバー３と、を備える。図１から図３に示す筐体２とフロントカバー３は、鋼板のような金属板により作られている。筐体２を構成する金属板の板厚は、構造規定により０．８ｍｍ以上が求められるが、実際には、例えば０．８ｍｍである。図１と図３に示すように、筐体２は、一方の側板（左側の側板）１０と、他方の側板（右側の側板）１１と、天板１２と、底板１３と、背板１４と、を有する箱状のケースである。説明の便宜上、以下の説明において、一方の側板を「左側の側板」と称し、他方の側板を「右側の側板」と称する。本実施形態の左側の側板１０は、本発明の「一方の側板」に相当する。本実施形態の右側の側板１１は、本発明の「他方の側板」に相当する。左側の側板１０と右側の側板１１とは、互いに対向している。筐体２は、前面に長方形状の開口部１５を有している。
【００３２】
左側の側板１０は、筐体２の縦方向のＺ方向に沿って折り返し部分２０を有する。左側の側板１０の前端部１０Ａには、スリット部１０Ｈが設けられている。同様にして、右側の側板１１は、筐体２のＺ方向に沿って折り返し部分２１を有する。右側の側板１１の前端部１１Ａには、スリット部１１Ｈが設けられている。本実施形態では、Ｚ方向は、筐体２の上下方向に相当する。天板１２は、筐体２の横方向のＸ方向に沿って折り返し部分２２を有する。底板１３は、筐体２のＸ方向に沿って折り返し部分２３を有する。本実施形態では、Ｘ方向は、筐体２の水平方向に相当する。筐体２は、折り返し部分２０，２１，２２，２３を有していることで、比較的薄い金属板で作られていても強度を可能な限り確保することができる。なお、本実施形態では、Ｙ方向は、筐体２の奥行方向に相当する。Ｘ方向と、Ｙ方向と、Ｚ方向と、は、互いに直交している。
【００３３】
図２に示すフロントカバー３は、天板１２の折り返し部分２２と、底板１３の折り返し部分２３と、に対して重ねられてあるいは嵌合されてネジ等の締結部材で固定される。例えば、フロントカバー３は、天板１２の折り返し部分２２と、底板１３の折り返し部分２３と、のそれぞれに対して２箇所程度で締結部材により固定されている。これにより、フロントカバー３は、筐体２の前面の開口部１５を閉じる。なお、フロントカバー３は、左側の側板１０の折り返し部分２０と、右側の側板１１の折り返し部分２１と、に対しては固定されていない。一方で、フロントカバー３は、筐体２から取り外されると、筐体２の前面の開口部１５を開く。図２に示すように、フロントカバー３は、排気口３Ａを有する。
【００３４】
図１において二点鎖線で例示するように、筐体２の内部には、各種の装置や配線等の収容物が収容されている。収容物の例としては、例えば熱交換器５と、送風ファン６と、ガスバーナ７と、排気部８と、回路基板部９と、図示しない電気配線等の束線やパイプ類等が挙げられる。排気部８は、図２のフロントカバー３の排気口３Ａの位置に対応している。
【００３５】
図１と図３に例示するように、筐体２の内側には、少なくとも一部分に、複数の遮熱板３１，３２，３３が配置されている。すなわち、本実施形態に係る給湯器１は、遮熱板３１，３２，３３をさらに備える。遮熱板３１，３２，３３は、熱交換器５等が発生する熱を遮蔽あるいは遮断する遮熱効果と、筐体２の強度の補強を行う補強効果と、を兼ね備えている。遮熱板３１，３２，３３は、例えば溶融アルミメッキ合金により長方形状に作られている。ただし、遮熱板３１，３２，３３の材料は、これだけには限定されない。遮熱板３１，３２，３３の厚みは、例えば０．４ｍｍであるが、これだけには限定されない。
【００３６】
図１と図３に示すように、第１遮熱板３１は、筐体２の左側の側板１０の内側に固定されている。第２遮熱板３２は、筐体２の右側の側板１１の内側に固定されている。第３遮熱板３３は、背板１４の内側に固定されている。遮熱板３１，３２，３３は、図１に例示するように、少なくとも熱交換器５を囲むような位置にそれぞれ配置されている。
【００３７】
熱交換器５の外形を形成する部材は、例えば銅製である。また、ガスバーナ７を支える部分は、鋼材である。熱交換器５およびガスバーナ７の動作時には、熱交換器５の銅製の部材やガスバーナ７を支える鋼材の上部は、例えば約１５０℃程度にまで高温になる。これにより、熱交換器５の銅製の部材やガスバーナ７を支える鋼材には、応力が発生する。これらの部材の少なくとも一部に穴等が空くと、例えば約１８００℃の炎が噴き出す恐れがある。噴き出した炎が直接筐体２を加熱すると、筐体２の加熱された部分が例えば７００℃を超え、筐体２に対向する建物側（例えば壁面）が例えば１００℃を超える場合がある。遮熱板３１，３２，３３は、噴き出した約１８００℃の炎を遮蔽するため（壁面温度が例えば１００℃を超えないように筐体２の加熱された部分が例えば５００℃を超えないようにするため）に設けられている。さらに、遮熱板３１，３２，３３は、筐体２の変形を抑制するために筐体２の強度の補強を行っている。以下、図面を参照して遮熱板３１，３２，３３をさらに説明する。
【００３８】
図４は、集合住宅Ｈに設置される給湯器の設置例を示す図である。
図４に例示するように、集合住宅Ｈには、共用廊下Ｋに沿って、住戸Ｒ１，Ｒ２，Ｒ３設けられている。パイプシャフトＰＳ１は、住戸Ｒ１に対応して設けられている。パイプシャフトＰＳ１には、図４（ａ）に示すような相対的に広い横幅Ｗ１の１台の給湯器１Ｒが配置されている。一方、パイプシャフトＰＳ２は、隣接する２つの住戸Ｒ２，Ｒ３に対応して共通して設けられている。パイプシャフトＰＳ２には、図４（ｂ）に示すような相対的に狭い横幅Ｗの２台の給湯器１，１が配置されている。なお、給湯器１Ｒは、本実施形態である給湯器１を比較するための比較例である。なお、相対的に狭い横幅Ｗの給湯器１台毎に１つのパイプシャフトが用意される場合もある。
【００３９】
パイプシャフトＰＳ１、ＰＳ２の収容空間容積（あるいは水平断面積）が同じである場合には、図４（ｂ）に示す本実施形態の給湯器１の横幅Ｗは、図４（ａ）に示す比較例の幅広い１台の給湯器１Ｒの横幅Ｗ１の半分程度となってしまう。このように、２台の給湯器１，１が、隣接する２台の住戸Ｒ２，Ｒ３の共用のパイプシャフトＰＳ２において並べて配置される場合には、幅広い１台の給湯器（比較例の給湯器）１Ｒが１つの住戸のパイプシャフトＰＳ１において配置される場合と比較して、パイプシャフトＰＳ２における給湯器１台あたりの収容空間が狭くなる。このため、２台の給湯器１，１のそれぞれの横幅Ｗは、比較例の１台の給湯器の横幅Ｗ１に比べて小さい値（例えば約半分程度の値）に設定されている。
【００４０】
すでに説明したように、給湯器１は、箱型の筐体２とフロントカバー３とを備えている。フロントカバー３は、筐体２の前面の開口部１５を覆っている。筐体２の側板１０，１１は、折り返し部分２０，２１をそれぞれ有している。筐体２の天板１２は、折り返し部分２２を有している。筐体２の底板１３は、折り返し部分２３を有している。フロントカバー３は、折り返し部分２２，２３に重ねられてあるいは嵌合されて締結部材により固定されることで、筐体２に取り付けられている。ここで、給湯器１の横幅Ｗをできるだけ小さくするために、給湯器１の筐体２の側板１０，１１の折り返し部分２０，２１の形成幅をできる限り狭くして、筐体２の内容積を大きく確保することが行われている。
【００４１】
図５は、筐体の変形を説明する図である。
図５（ａ）は、比較例の給湯器１Ｒを示す底面図である。図５（ｂ）は、本発明の実施形態である給湯器を示す底面図である。図５（ｃ）は、本実施形態の筐体の変形を説明する斜視図である。図５（ｄ）は、本実施形態の筐体の変形を説明する部分断面図である。図５（ｅ）は、図５（ｄ）に表した領域Ａ１１における拡大図である。
【００４２】
図５（ａ）に示す比較例の給湯器１Ｒでは、折り返し部分２００，２０１の形成幅Ｖは、例えば約１０ｍｍ程度である。これに対して、図５（ｂ）に示す本実施形態に係る給湯器１では、折り返し部分２０，２１の形成幅Ｓは、約７ｍｍ程度、あるいは７ｍｍ未満である。このように、図５（ｂ）に示す本実施形態の給湯器１では、側板１０，１１の折り返し部分２０，２１の形成幅Ｓは、図５（ａ）に示す比較例の給湯器１Ｒの折り返し部分２００，２０１の形成幅Ｖに比べて、できる限り狭い値に設定されている。このため、本実施形態の給湯器１の筐体２の側板１０，１１は、単独（単品）の状態では大きな強度を確保できない場合がある。
【００４３】
そのため、図１に示すように、熱交換器５や送風ファン６や回路基板部９や電気配線の束線やパイプ類等が筐体２の内部に詰め込んで収容されると、図５（ｃ）と図５（ｄ）に示す矢印ＸＸのように、筐体２の側板１０，１１が側方に湾曲し膨らんでしまうことがある。また、図５（ｄ）および図５（ｅ）に示す矢印ＹＹのように、折り返し部分２０，２１が側板１０，１１に対する折り返し角度を保持できず、筐体２の外側に向かって跳ね上がることがある。これに対して、フロントカバー３が筐体２に取り付けられることで、筐体２の側板１０，１１の湾曲が矯正されることがある。
【００４４】
しかし、作業者は、図４に示す給湯器１をパイプシャフトＰＳ２に設置する際には、筐体２からフロントカバー３を外す。例えば、作業者は、筐体２からフロントカバー３を外し、筐体２の内部に設けられたリモコン線接続部にリモコン線を接続する。そうすると、折り返し部分２０，２１の形成幅Ｓが比較的狭いので、図５（ｃ）と図５（ｄ）に示す矢印ＸＸのように、筐体２の側板１０，１１が側方に再び湾曲する。また、図５（ｄ）および図５（ｅ）に示す矢印ＹＹのように、折り返し部分２０，２１が筐体２の外側に向かって再び跳ね上がる。そして、作業者がフロントカバー３を筐体２に再び取り付ける際に、側板１０，１１の変形（湾曲）を矯正することが困難である場合がある。具体的には、作業者がフロントカバー３を不用意に筐体２に取り付けようとすると、フロントカバー３を天板１２の折り返し部分２２および底板１３の折り返し部分２３に嵌合させることができる一方で、側板１０，１１の折り返し部分２０，２１に嵌合させることができない場合がある。この場合には、フロントカバー３と、側板１０，１１の折り返し部分２０，２１と、の間に隙間が生ずることがある。そうすると、雨水等が、フロントカバー３と、側板１０，１１の折り返し部分２０，２１と、の間の隙間から筐体２内に入るおそれがある。
【００４５】
これに対して、本実施形態に係る給湯器１では、図１と図３に例示したように、第１遮熱板３１が、筐体２の左側の側板１０を補強するために、左側の側板１０の内面に固定されている。また、第２遮熱板３２が、筐体２の右側の側板１１を補強するために、右側の側板１１の内面に固定されている。さらには、第３遮熱板３３が、背板１４を補強するために、背板１４の内面に固定されている。このように、遮熱板３１，３２，３３は、筐体２内に固定されていることで、熱交換器５等の熱を遮蔽する遮熱効果と、筐体２の強度の補強を行う補強効果と、を兼ね備えることができる。
【００４６】
そのため、側板１０，１１の折り返し部分２０，２１の形成幅Ｓができる限り狭い幅に設定され、側板１０，１１が大きな強度を確保できない場合において、作業者が給湯器１を設置現場のパイプシャフトＰＳ２に設置する際に、例えば筐体２からフロントカバー３を取り外しても、遮熱板３１，３２は、筐体２の側板１０，１１が側方に湾曲することを抑えることができる。また、遮熱板３１，３２は、折り返し部分２０，２１が筐体の外側に向かって跳ね上がることを抑えることができる。筐体２の側板１０，１１が側方に湾曲することが抑制されるので、作業者は、フロントカバー３を筐体２に取り付け易く、例えば複数台の給湯器１をパイプシャフトＰＳ２内に並べて確実に設置することができる。
【００４７】
また、互いに対向する側板１０，１１が、それぞれの内側に固定された遮熱板（第１遮熱板３１および第２遮熱板３２）により側方への湾曲を抑制される。これにより、第１遮熱板３１および第２遮熱板３２は、筐体２内の遮熱を行うとともに、薄板を用いて軽量化された筐体２であっても、筐体２の補強を確実に行うことができる。
【００４８】
次に、遮熱板３１，３２，３３について、図１と図３を参照してさらに説明する。
図１と図３に示す遮熱板３１，３２は、左右対称形状であり、共通した構造を有している。すなわち、第１遮熱板３１の形状は、第２遮熱板３２の形状と同一である。そのため、遮熱板３１，３２は、共用して使用可能とされる。これにより、給湯器１の構成部品の種類を減らすことができる。第３遮熱板３３の形状は、第１遮熱板３１および第２遮熱板３２の形状とは異なる。遮熱板３１，３２，３３のＺ方向の長さが筐体２のＺ方向の長さに対して例えば２０％以上あれば、遮熱板３１，３２，３３は、熱交換器５等の熱を遮蔽する遮熱効果と、筐体２の強度の補強を行う補強効果と、有する。図１〜図３に表した給湯器１では、遮熱板３１，３２，３３のＺ方向の長さは、筐体２のＺ方向の長さに対して例えば２８％程度である。ただし、筐体２のＺ方向の長さに対する遮熱板３１，３２，３３のＺ方向の長さの割合は、これだけには限定されない。
【００４９】
次に、第１遮熱板３１および第２遮熱板３２について、図６から図９を参照して詳しく説明する。
図６は、第１遮熱板および第２遮熱板を示す正面図である。
図７は、第１遮熱板および第２遮熱板を示す斜視図である。
図８は、第１遮熱板および第２遮熱板を示す側面図である。
図９は、第１遮熱板および第２遮熱板を示す断面図である。
なお、図８（ａ）は、図７に表した矢印Ｔ１の方向から第１遮熱板および第２遮熱板をみた側面図である。図８（ｂ）は、図７に表した矢印Ｔ２の方向から第１遮熱板および第２遮熱板をみた側面図である。図９（ａ）は、図６に表した切断面Ａ１−Ａ１における断面図である。図９（ｂ）は、図６に表した切断面Ｂ１−Ｂ１における断面図である。
【００５０】
遮熱板３１，３２は、図６と図７に示すように、長方形状の金属の成形板である。遮熱板３１，３２は、図６のＢ１−Ｂ１線において、上下対称形状になっている。これにより、遮熱板３１，３２は、図１に示す左右の側板１０，１１の両方に対して共通して使用可能である。このため、左右の側板１０，１１のそれぞれに異なる形状の遮熱板を用意する必要が無いので、給湯器１のために用意すべき構成部品の種類を減らすことができる。
【００５１】
図７に示す遮熱板３１の一端部３１Ａ側は、図３に示す側板１０の前端部１０Ａ側に位置され、図７に示す遮熱板３２の一端部３２Ａ側は、図３に示す側板１１の前端部１１A側に位置される。図７に示す遮熱板３１の他端部３１Ｂと遮熱板３２の他端部３２Ｂは、図３に示す背板１４側に位置される。
【００５２】
図７と図８に示すように、遮熱板３１，３２の上端部（一方の端部）３１Ｃ（３２Ｃ）には、第１突出部分４１が設けられている。本実施形態の上端部３１Ｃ（３２Ｃ）は、本発明の「一方の端部」に相当する。第１突出部分４１は、金属の板の端部が折り曲げられて形成された部分であり、上端部３１Ｃ（３２Ｃ）の長さの一部または全長に渡って形成されている。同様にして、下端部（他方の端部）３１Ｄ（３２Ｄ）には、第２突出部分４２が設けられている。本実施形態の下端部３１Ｄ（３２Ｄ）は、本発明の「他方の端部」に相当する。第２突出部分４２は、金属の板の端部が折り曲げられて形成された部分であり、下端部３１Ｄ（３２Ｄ）の長さの一部または全長に渡って形成されている。
【００５３】
また、図７から図９に示すように、遮熱板３１の一端部３１Ａおよび遮熱板３２の一端部３２Ａのそれぞれの中間位置には、爪状の取付部５０が設けられている。具体的には、爪状の取付部５０は、上端部３１Ｃ（３２Ｃ）と下端部３１Ｄ（３２Ｄ）とに交差する一端部３１Ａ（３２Ａ）において、第１突出部分４１と第２突出部分４２との間の位置に設けられている。取付部５０は、金属の板が鳥曲げられた爪状の構造を有し、図３に示す左側の側板１０の前端部１０Ａと右側の側板１１の前端部１１Ａに対して、遮熱板３１，３２を、それぞれ固定するためのものである。
【００５４】
爪状の取付部５０は、好ましくは、左側の側板１０の前側に設けられているスリット部１０Ｈ（図１および図３参照）と、右側の側板１１の前側に設けられているスリット部１１Ｈ（図１および図３参照）と、にそれぞれ嵌め込まれる。これにより、第１遮熱板３１の一端部３１Ａと第２遮熱板３２の一端部３２Ａは、側板１０の前端部１０Ａと右側の側板１１の前端部１１Ａに対して、それぞれ嵌め込むことで固定可能とされている。
【００５５】
図６と図７に示すように、第１遮熱板３１の他端部３１Ｂと第２遮熱板３２の他端部３２Ｂは、２つの固定部分６０を有している。本実施形態の他端部３１Ｂ，３２Ｂは、本発明の「後端部」に相当する。図３に示すように、第１遮熱板３１の他端部３１Ｂと第２遮熱板３２の他端部３２Ｂとは、左右の側板１０，１１の内面に対して、固定部分６０においてネジ（締結部材）６１によりそれぞれ固定可能とされている。つまり、固定部分６０は、本発明の「後端部の少なくとも一部」に相当する。
【００５６】
なお、図３および図６では、２つの固定部分６０の両方が、ネジ６１を用いて左右の側板１０，１１の内面に対して、それぞれ固定されている。ただし、固定部分６０の固定形態は、これだけに限定されるわけではない。２つの固定部分６０のいずれか一方がネジ６１を用いて左右の側板１０，１１の内面に固定され、２つの固定部分６０のいずれか他方が左側の側板１０と背板１４との間、および右側の側板１１と背板１４との間に挟まれて保持されてもよい。この詳細ついては、後述する。
【００５７】
次に、図１０を参照して、第３遮熱板３３について説明する。
図１０は、第３遮熱板を示す図である。
なお、図１０（ａ）は、第３遮熱板を示す正面図である。図１０（ｂ）は、図１０（ａ）に表した矢印Ｔ１２の方向から第３遮熱板をみたときの側面図である。図１０（ｃ）は、図１０（ａ）に表した矢印Ｔ１３の方向から第３遮熱板をみたときの側面図である。
【００５８】
図１０に示すように、第３遮熱板３３は、耐熱性を有する長方形状の金属の成形板である。第３遮熱板３３は、２つの突出部３９を有している。作業者が突出部３９の孔３９Ｈにネジ（締結部材）３７を通して、図３に示す背板１４のメネジにねじ込むことで、第３遮熱板３３は、背板１４に対して固定される。遮熱板３１，３２，３３は、図１に示す熱交換器５の左右側板と背面に対応して配置されている。しかも、図２に示すように、フロントカバー３は、その内側に設けられた遮熱板３Ｒを有する。これにより、熱交換器５の前面と左右側板と背面とが、遮熱板３１，３２，３３と、フロントカバー３の遮熱板３Ｒと、により、熱的に遮蔽されている。このため、筐体２では、熱交換器５から発生する熱が、筐体２の外側に伝わることをできる限り遮蔽することができる。
【００５９】
図１１は、図１に示す切断面Ａ−Ａにおける断面図である。
図１２は、図１に示す切断面Ｂ−Ｂにおける断面図である。
図１１と図１２を参照して、遮熱板３１，３２，３３の取り付け構造例について、さらに説明する。
【００６０】
図１１と図１２は、図１に示す背板１４と第３遮熱板３３との取り付け構造例、および右側の側板１１と第２遮熱板３２との取り付け構造例を示している。なお、右側の側板１１と第２遮熱板３２との取り付け構造例と、左側の側板１０と第１遮熱板３１との取り付け構造例と、は、互いに左右対称形状である、従って、図１１と図１２を参照して、背板１４と第３遮熱板３３との取り付け構造例、および右側の側板１１と第２遮熱板３２との取り付け構造例を代表して説明する。
【００６１】
まず、図１１を参照して、背板１４と第３遮熱板３３との取り付け構造例、および右側の側板１１と第２遮熱板３２との取り付け構造例を説明する。ただし、説明の便宜上、第２遮熱板３２および第３遮熱板３３の一部分を省略している。
図１１に示すように、スリット部１１Ｈは、右側の側板１１の前端部１１Ａに設けられている細い溝である。第２遮熱板３２の爪状の取付部５０は、右側の側板１１のスリット部１１Ｈ内に嵌め込まれることで、取り付けられている。
【００６２】
一方、図１１に示すように、第３遮熱板３３の突出部３９は、背板１４の膨出部１４Ｇに被さっている。ネジ３７は、第３遮熱板３３の突出部３９の孔３９Ｈ（図１０参照）に通され、背板１４のメネジ３８にねじ込まれる。これにより、第３遮熱板３３は、背板１４に対して固定されている。図１１に示す範囲ＲＤは、第２遮熱板３２および第３遮熱板３３によっては覆われていない筐体２の領域を示している。この範囲ＲＤが存在していても、熱交換器の遮熱能力と、筐体２の補強能力と、は確保されている。
【００６３】
次に、図１２を参照して、背板１４と、第２遮熱板３２と、の取り付け構造例を説明する。ただし、説明の便宜上、第２遮熱板３２の一部分を省略している。
【００６４】
図１２に示すように、第２遮熱板３２の他端部３２Ｂは、筐体２の奥側に位置される端部である。第２遮熱板３２の他端部３２Ｂの固定部分６０は、背板１４の内端部１４Ｍと右側の側板１１の内面と、の間に挟み込まれることで固定されている。しかも、側板１１の固定部分６０には、ネジ孔６０Ｈ（図７参照）が設けられている。ネジ６１が、固定部分６０のネジ孔６０Ｈを通して、背板１４の内端部１４Ｍのメネジ１４Ｗにねじ込まれている。これにより、第２遮熱板３２の他端部３２Ｂの固定部分６０は、右側の側板１１と背板１４との間に挟み込まれた状態で、ネジ止めにより確実に固定されている。
【００６５】
なお、図６〜図９に関して前述したように、第２遮熱板３２の固定部分６０が背板１４の内端部１４Ｍと右側の側板１１の内面との間に挟み込まれているため、ネジ６１によるネジ止めは、必ずしも必要というわけではない。例えば、２つの固定部分６０のいずれか一方が背板１４の内端部１４Ｍと右側の側板１１の内面との間に挟み込まれ、２つの固定部分６０のいずれか他方が背板１４の内端部１４Ｍと右側の側板１１の内面との間に挟み込まれるとともにネジ６１によりネジ止めされていてもよい。
【００６６】
図１３は、本実施形態の第１遮熱板および第２遮熱板の作用例を説明する模式図である。
図１３に示す第１遮熱板３１が左側の側板１０の側方（矢印ＸＸの方向）への湾曲（図５（ｃ）および図５（ｄ）参照）を抑制する動作と、第２遮熱板３２が右側の側板１１の側方（矢印ＸＸの方向）への湾曲（図５（ｃ）および図５（ｄ）参照）を抑制する動作と、は、互いに左右対称であり実質的に同じである。このため、図１３では、第１遮熱板３１が左側の側板１０の側方（矢印ＸＸの方向）への湾曲を抑制する動作を代表して説明する。
図１３（ａ）は、左側の側板１０が側方（矢印ＸＸの方向）に湾曲する前の通常の状態を示している。図１３（ｂ）は、第１遮熱板３１が、左側の側板１０が側方（矢印ＸＸの方向）に湾曲することを抑制している状態を示す模式図である。
【００６７】
図１３（ａ）では、第１遮熱板３１の爪状の取付部５０は、左側の側板１０のスリット部１０Ｈ内にはめ込まれることで、既に取り付けられている。第１遮熱板３１の上側の第１突出部分４１と下側の第２突出部分４２は、左側の側板１０の内面１０Ｎに向かって突出して形成されている。このとき、上側の第１突出部分４１と左側の側板１０の内面１０Ｎとの間、および下側の第２突出部分４２と左側の側板１０の内面１０Ｎとの間には、それぞれ所定の隙間ＳＳが設定されている。隙間ＳＳは、左側の側板１０および右側の側板１１が側方（矢印ＸＸの方向）に湾曲することを抑制され、フロントカバー３が筐体２に対して容易に取り付け可能とされる範囲で適宜設定される。
【００６８】
図５（ａ）〜図５（ｄ）に関して前述したように、熱交換器５や送風ファン６や回路基板部９や電気配線の束線やパイプ類等が筐体２の内部に詰め込んで収容されると、図５（ｃ）と図５（ｄ）に示す矢印ＸＸのように、筐体２の側板１０，１１が側方に湾曲し膨らんでしまうことがある。そうすると、作業者が給湯器１の設置作業のために、筐体２からフロントカバー３を取り外した場合に、左右の側板１０，１１が、図１３（ａ）の通常の状態から図１３（ｂ）に示すように側方（矢印ＸＸの方向）に湾曲し膨らもうとする。
【００６９】
これに対して、本実施形態に係る給湯器１では、図１３（ｂ）に示すように、左側の側板１０が側方（矢印ＸＸの方向）に湾曲しようとすると、第１遮熱板３１の上側の第１突出部分４１と下側の第２突出部分４２は、左側の側板１０の内面１０Ｎに対して当接する。これにより、第１遮熱板３１は、左側の側板１０が側方（矢印ＸＸの方向）に湾曲することを抑制することができる。従って、作業者が筐体２からフロントカバー３を取り外しても、左側の側板１０が側方に湾曲することが確実に抑えられる。また、折り返し部分２０が図５（ｄ）に表した矢印ＹＹの方向に跳ね上がることが確実に抑えられる。これにより、作業者は、筐体２に対して再びフロントカバー３を装着する作業を容易に行うことができる。
【００７０】
本実施形態に係る給湯器１によれば、第１遮熱板３１の第１突出部分４１および第２突出部分４２は、左側の側板１０が側方に湾曲しようとすると左側の側板１０の内面１０Ｎに当接する。また、第２遮熱板３２の第１突出部分４１および第２突出部分４２は、右側の側板１１が側方に湾曲しようとすると右側の側板１１の内面に当接する。このため、作業者が例えば筐体２からフロントカバー３を取り外しても、筐体２の側板１０，１１が側方に湾曲することが確実に抑えられる。また、側板１０，１１の折り返し部分２０，２１が筐体２の外側に向かって跳ね上がることが確実に抑えられる。
【００７１】
また、第１遮熱板３１の取付部５０は、左側の側板１０の前端部１０Ａに設けられたスリット部１０Ｈに嵌め込まれている。これにより、第１遮熱板３１は、左側の側板１０のスリット部１０Ｈに対して容易に取り付けられるとともに左側の側板１０に確実に固定される。また、第２遮熱板３２の取付部５０は、右側の側板１１の前端部１１Ａに設けられたスリット部１１Ｈに嵌め込まれている。これにより、第２遮熱板３２は、右側の側板１１のスリット部１１Ｈに対して容易に取り付けられるとともに右側の側板１１に確実に固定される。
【００７２】
また、第１遮熱板３１の他端部３１Ｂの少なくとも一部（固定部分６０）は、左側の側板１０に対してネジ６１により締結されている。これにより、第１遮熱板３１の他端部３１Ｂの少なくとも一部は、左側の側板１０に対して、ネジ６１により簡単かつ確実に固定される。また、第２遮熱板３２の他端部３２Ｂの少なくとも一部（固定部分６０）は、右側の側板１１に対してネジ６１により締結されている。これにより、第２遮熱板３２の他端部３２Ｂの少なくとも一部は、右側の側板１１に対して、ネジ６１により簡単かつ確実に固定される。
【００７３】
また、第１遮熱板３１の他端部３１Ｂの他の少なくとも一部（固定部分６０）は、左側の側板１０と背板１４との間に挟まれて保持されていてもよい。この場合には、第１遮熱板３１の他端部３１Ｂの他の少なくとも一部は、左側の側板１０に対して容易に固定される。また、第２遮熱板３２の他端部３２Ｂの他の少なくとも一部（固定部分６０）は、右側の側板１１と背板１４との間に挟まれて保持されていてもよい。この場合には、第２遮熱板３２の他端部３２Ｂの他の少なくとも一部は、右側の側板１１に対して容易に固定される。
【００７４】
以上、本発明の実施形態について説明した。しかし、本発明は、上記実施形態に限定されず、特許請求の範囲を逸脱しない範囲で種々の変更を行うことができる。上記実施形態の構成は、その一部を省略したり、上記とは異なるように任意に組み合わせたりすることができる。なお、給湯器１の熱源は、ガスや石油等に限定されるわけではない。また、給湯器１の用途は、特に限定されるわけではない。例えば、給湯器１は、給湯用の給湯器以外にも、暖房用の熱源機や風呂給湯器等であってもよい。
【符号の説明】
【００７５】
１、１Ｒ・・・給湯器、  ２・・・筐体、  ３・・・フロントカバー、  ３Ａ・・・排気口、  ３Ｒ・・・遮熱板、  ５・・・熱交換器、  ６・・・送風ファン、  ７・・・ガスバーナ、  ８・・・排気部、  ９・・・回路基板部、  １０・・・側板、  １０Ａ・・・前端部、  １０Ｈ・・・スリット部、  １０Ｎ・・・内面、  １１・・・側板、  １１Ａ・・・前端部、  １１Ｈ・・・スリット部、  １２・・・天板、  １３・・・底板、  １４・・・背板、  １４Ｇ・・・膨出部、  １４Ｍ・・・内端部、  １４Ｗ・・・メネジ、  １５・・・開口部、  ２０、２１、２２、２３・・・折り返し部分、  ３１・・・第１遮熱板、  ３１Ａ・・・一端部、  ３１Ｂ・・・他端部、  ３１Ｃ・・・上端部、  ３１Ｄ・・・下端部、  ３２・・・第２遮熱板、  ３２Ａ・・・一端部、  ３２Ｂ・・・他端部、  ３２Ｃ・・・上端部、  ３２Ｄ・・・下端部、  ３３・・・第３遮熱板、  ３７・・・ネジ、  ３８・・・メネジ、  ３９・・・突出部、  ３９Ｈ・・・孔、  ４１・・・第１突出部分、  ４２・・・第２突出部分、  ５０・・・取付部、  ６０・・・固定部分、  ６０Ｈ・・・ネジ孔、  ６１・・・ネジ、  ２００、２０１・・・折り返し部分、  Ｈ・・・集合住宅、  Ｋ・・・共用廊下、  ＰＳ１、ＰＳ２・・・パイプシャフト、  Ｒ１、Ｒ２、Ｒ３・・・住戸、  Ｓ・・・形成幅、  ＳＳ・・・隙間、  Ｖ・・・形成幅、  Ｗ、Ｗ１・・・横幅
【図１】
2019148357.tif 000003
【図２】
2019148357.tif 000004
【図３】
2019148357.tif 000005
【図４】
2019148357.tif 000006
【図５】
2019148357.tif 000007
【図６】
2019148357.tif 000008
【図７】
2019148357.tif 000009
【図８】
2019148357.tif 000010
【図９】
2019148357.tif 000011
【図１０】
2019148357.tif 000012
【図１１】
2019148357.tif 000013
【図１２】
2019148357.tif 000014
【図１３】
2019148357.tif 000015